(57)【要約】【課題】体外型心臓医療器具において、患者の危険性を低減する。【解決手段】体外型心臓医療器具の筐体１に、１つ又は複数の電池ケース接続端子２を有する少なくとも１つの電池ケースを設ける。この電池ケースに、少なくとも１つの電池を収容するための収容部を有する少なくとも１つのトレイ３を設ける。電池ケース接続端子２の少なくとも一部をトレイ３の外に設ける。【選択図】図５
2020104007.tif 000002
【特許請求の範囲】
【請求項１】
少なくとも１つの筐体（１）を備える体外型心臓医療器具であって、
前記筐体（１）は、１つ又は複数の電池ケース接続端子（２）を有する少なくとも１つの電池ケースを有し、該電池ケースは、少なくとも１つの電池（５）を収容するための収容部（４）を有する少なくとも１つのトレイ（３）を有し、前記電池ケース接続端子（２）の少なくとも一部は、前記トレイ（３）の外に設けられている
ことを特徴とする体外型心臓医療器具。
【請求項２】
請求項１に記載の体外型心臓医療器具において、
少なくとも１つ又はすべての前記電池ケース接続端子（２）は、前記筐体（１）に固定され、前記電池ケース接続端子（２）は、前記トレイ（３）内又は前記トレイ（３）に設けられない
ことを特徴とする体外型心臓医療器具。
【請求項３】
請求項１又は２に記載の体外型心臓医療器具において、
少なくとも１つ又はすべての前記電池ケース接続端子（２）は、前記筐体（１）において、前記トレイ（３）が完全に挿入されたときに前記トレイ（３）に収容される電池（５）の挿入方向前端が到達する位置に設けられる
ことを特徴とする体外型心臓医療器具。
【請求項４】
請求項１〜３のいずれか１つに記載の体外型心臓医療器具において、
少なくとも１つ又はすべての前記電池ケース接続端子（２）は、前記トレイ（３）が開状態のときもユーザによる接触を回避できるように、前記筐体（１）の少なくとも１つの壁部に被覆される
ことを特徴とする体外型心臓医療器具。
【請求項５】
請求項４に記載の体外型心臓医療器具において、
前記筐体（１）の少なくとも１つの壁部は、該筐体（１）の後壁（１１）のみである、又は該後壁（１１）を含む
ことを特徴とする体外型心臓医療器具。
【請求項６】
請求項１〜５のいずれか１つに記載の体外型心臓医療器具において、
隣接する又は上下に並ぶ２つ以上の電池ケース接続端子（２）が設けられる
ことを特徴とする体外型心臓医療器具。
【請求項７】
請求項１〜６のいずれか１つに記載の体外型心臓医療器具において、
前記トレイ（３）の収容部（４）は、前記トレイ（３）の開状態において、前記筐体（１）の下部に向かって開口している
ことを特徴とする体外型心臓医療器具。
【請求項８】
請求項１〜７のいずれか１つに記載の体外型心臓医療器具において、
前記トレイ（３）の収容部（４）は、前記トレイ（３）が挿入された状態のとき、完全に前記筐体（１）の壁部に囲まれている
ことを特徴とする体外型心臓医療器具。
【請求項９】
請求項１〜８のいずれか１つに記載の体外型心臓医療器具において、
前記トレイ（３）は、スライダ（６）によって被覆可能なロック機構（７）により保護されている
ことを特徴とする体外型心臓医療器具。
【請求項１０】
請求項９に記載の体外型心臓医療器具において、
前記スライダ（６）は、バネにより起点に保持され、該起点において前記スライダ（６）は、前記ロック機構（７）を被覆し、
前記スライダ（６）は、バネの付勢力に抗して移動させることで前記ロック機構（７）を露出可能に構成されている
ことを特徴とする体外型心臓医療器具。
【請求項１１】
請求項１〜１０のいずれか１つに記載の体外型心臓医療器具において、
前記トレイ（３）の落下を防ぐ手段を備える
ことを特徴とする体外型心臓医療器具。
【発明の詳細な説明】
【技術分野】
【０００１】
本発明は、少なくとも１つの筐体を備える体外型ペースメーカ、体外型除細動器、又は除細動機能を有する体外型ペースメーカのような体外型心臓医療器具に関し、この体外型心臓医療器具の筐体は、１つ又は複数の電池ケース接続端子を有する少なくとも１つの電池ケースを備え、この電池ケースは、少なくとも１つの電池を収容するための収容部を有する少なくとも１つのトレイを備える。
【背景技術】
【０００２】
この技術分野における公知の体外型ペースメーカでは、電池ケースはトレイ状であり、このトレイは筐体に対し出し入れ可能となっている。さらに、電池を収容するための簡単な電池ケースを有する体外型ペースメーカが知られている。
【０００３】
なお、体外型ペースメーカにおけるロックとスライダに関しては、例えば、特許文献１に開示されている。
【先行技術文献】
【特許文献】
【０００４】
【特許文献１】独国特許出願公開第１０２０１３００８３１４号明細書
【発明の概要】
【発明が解決しようとする課題】
【０００５】
しかしながら、ペースメーカ機能と除細動機能を併用する際、電池ケース接続端子又は電池ケース接続端子に電気的に接続される電池に接触することにより、特定の電圧（例えば、４００Ｖ）によって、ユーザが電気ショックにより健康を脅かされる危険な状態に陥りかねない。
【０００６】
それを防ぐため、医療スタッフにより、電池ケース接続端子又はそれに接続される電池への接触を回避する必要がある。さもなければ、場合によっては（例えば、短ＥＳＤパルスによる）不要な電流が心臓ワイヤ及び患者の心臓を流れ、心臓の活動に影響を与える可能性がある（患者への高漏電のおそれ）。これは、医療スタッフと患者の心臓との間に、電池又は電池ケース接続端子、装置内の回路、装置コネクタ及び金属心臓ワイヤを介した、直接的な電気的接続が起こりうるためである。
【０００７】
本発明の課題は、ユーザ、つまり患者の危険性を低減する体外型心臓医療器具（体外型ペースメーカ及び／又は体外型除細動器、好ましくは、除細動機能を有する体外型ペースメーカ）をさらに改善することである。
【課題を解決するための手段】
【０００８】
この課題は、請求項１に記載の特徴を有する体外型心臓医療器具（体外型ペースメーカ及び／又は体外型除細動器）により解決される。これによると、電池ケース接続端子は、トレイ内に設けられていない、又はすべてがトレイ内に設けられているわけではない、言い換えれば、電池ケース接続端子の少なくとも一部がトレイ外に設けられていることを特徴とする。
【０００９】
この構成による効果として、取り出されるトレイには、電池ケース接続端子が、少なくともすべての電池ケース接続端子が設けられているわけではないため、不本意な接触が起こらない。更なる効果としては、収容部に収容された電池及び開状態のトレイにおいて、電池自体は、電池ケース接続端子と接続されない、又は少なくともすべての電池ケース接続端子と接続されていないため、ユーザが接触しても悪影響は生じない。
【００１０】
好ましくは、少なくとも１つ若しくは複数又はすべての電池ケース接続端子は、筐体に固定される。好ましくは、電池ケース接続端子は、トレイ内又はトレイに設けられないことを特徴とする。
【００１１】
これにより、電池をトレイの収容部に安全に収容できる。すなわち、トレイが少なくとも部分的、好ましくは、完全に挿入されて初めて、装置と電池とが電気的に接続される。トレイが完全に展開されて電池が収容される際、電池が電池ケース接続端子に接続されない、又は少なくとも不完全な状態で接続される。
【００１２】
これにより、本発明に係る方法は、ＩＥＣ６０６０１−１規格（国際電気標準会議の医用電気機器の安全規格）の要件を満たす。
【００１３】
さらに好ましくは、少なくとも１つ又はすべての電池ケース接続端子は、筐体において、トレイ又は、トレイに収容される電池の挿入方向前端が、トレイが少なくとも半分、特に好ましくは完全に挿入されたときに到達する位置に設けられることを特徴とする。
【００１４】
このように少なくとも１つ、好ましくはすべての電池ケース接続端子が設けられる場合、特に好適な構成としては、収容される電池又はトレイが挿入方向前端まで完全に挿入された状態で初めて電池ケース接続端子の位置に到達する。この際、電池は、トレイが完全に挿入された状態で初めてすべての電池ケース接続端子と導通接続される。
【００１５】
本発明のさらに好ましい構成としては、少なくとも１つ又はすべての電池ケース接続端子は、トレイが開状態のときのユーザの電池ケース接続端子への接触を回避できるよう、トレイが開状態のときに筐体の少なくとも１つの壁部に被覆されることを特徴とする。このような直接的な接触を回避又は抑制する壁部は、例えば筐体の後壁である。基本的に、そのような直接的な接触を回避又は少なくとも抑制するのは筐体の他の壁部でもよく、例えば側壁などでもよい。
【００１６】
本発明の更なる構成としては、トレイの収容部は、筐体の下部に向かって開口していてもよい。電池を収容する際、装置の前側を下にしてトレイが開かれる。電池は、上から又は例えば横からトレイに収容されてもよい。
【００１７】
好ましくは、トレイの収容部が、トレイが挿入された状態で、完全に壁部に囲まれている。これにより、トレイが完全に挿入された状態でのユーザによる電池ケース接続端子及び／又は電池との接触が確実に回避できる。
【００１８】
本発明の好ましい構成としては、トレイの落下が防止できる、少なくとも１つのストッパ又は同様のものが設けられ、トレイが特定の位置を越えて出るのを防ぐことができる。
【００１９】
基本的には、ロック機構が設けられ、ロック機構の作動後にのみ、つまり、ロック解除後に開くようにトレイと協働する。
【００２０】
その他の実施形態として、ロック機構はスライダにより被覆されていてもよく、ロック機構を露出するにはまず、ユーザによってスライダをスライドされなければならず、それによりロック機構が解除できるようになる。また、前記スライダは、バネにより起点に向かって付勢され、この起点においてスライダは、トレイのロック機構を被覆する。
【００２１】
また、スライダは、場合によっては、ロック機構の露出時にバネの付勢によって起点に向かって押し戻されるように可動であるのが望ましい。これによる効果としては、非作動時において、スライダはロック機構を被覆しており、不本意なロック解除が行われない。
【００２２】
本発明の更なる詳細や効果について、実施形態を示した以下の図面を参照しながら説明する。
【図面の簡単な説明】
【００２３】
【図１】トレイが閉状態のときの除細動機能を有する体外型ペースメーカを下側から見た斜視図である。
【図２】トレイが開状態のときの外観を示す図１相当図である。
【図３】電池を収容する途中の状態を示す図２相等図である。
【図４】電池が完全に収容された状態の外観を示す図３相当図である。
【図５】トレイが閉状態のときの除細動機能を有する体外型ペースメーカを、筐体の前壁を外した状態で上側から見た内面を示す斜視図である。
【発明を実施するための形態】
【００２４】
図１は、体外型心臓医療器具としての除細動機能を有する体外型ペースメーカを示しており、装置の駆動に必要な電気回路を収容する筐体１を有する。なお、体外型心臓医療器具としては、除細動機能を有さない体外型ペースメーカでもよいし、体外型除細動器そのものでもよい。
【００２５】
筐体１は、それを取り囲む側壁１０と、後壁１１と、前壁１２とからなり、これらの壁部すべてによって筐体１は密閉されている。
【００２６】
側壁１０のうちの一面と後壁１１の一部とにより、空間を形成する開口部１０’が構成され、図１に示すように、この開口部１０’は、トレイ３のフロント部３’によって密閉される。
【００２７】
フロント部３’の外側において、トレイ３は収容部４を有し、電池５（例えば９Ｖの電池）を収容する。収容部４は、底面、フロント部３’及び２つの側壁を有する。図２に示すように、後壁１１を上向きにした状態で装置を設置する場合、収容部４は上部に開口する。
【００２８】
参照符号４’は、トレイ３における挿入方向前方の壁部を示す。
【００２９】
トレイ３の壁部は、いずれも電池ケース接続端子とともに構成されることはない。
【００３０】
図３は、電池をトレイ３の収容部４に収容する過程を示しており、図４は、電池５が完全にトレイ３の収容部４に収容された状態を示す。これらの図に示すように、電池５は、前側の被接続端子が挿入方向前方になるように収容される。
【００３１】
図３における収容途中においても、図４における収容状態においても、電池５は、電池ケース接続端子と接続されない。
【００３２】
図５において、固定された電池ケース接続端子を参照符号２で示す。
【００３３】
図５に示すように、筐体１には、２つの隣接する電池ケース接続端子２が設けられ、これら電池ケース接続端子２は、トレイ３が完全に挿入された状態で、ここで例示された９Ｖの電池の挿入方向前方に設けられた２つの被接続端子に接続される。
【００３４】
電池ケース接続端子２は、筐体１に固定されており、トレイ３と共に動くことはない。
【００３５】
電池ケース接続端子２は、トレイ３が完全に挿入された状態で、まず電池５の被接続端子部と接触するように筐体に設置される。この状態は、図１及び図５に示される。
【００３６】
上述の通り、ユーザはトレイ３を開いた後、トレイ３を装置から接触点まで、図２に示す位置に到達するまで引き出すことができる。装置における電池ケース接続端子２とのユーザによる接触は、トレイ３の後壁、つまり、トレイ３の挿入方向前方の壁部４’により回避できる。これは、電池ケース接続端子２がトレイ３内ではなく、トレイ３の挿入方向前端、つまり挿入された電池ケースの挿入方向前端に設けられているからである。
【００３７】
図３及び図４に示すように、ユーザが電池５をトレイ３に収容しても、トレイ３が閉じられない限り、電池５は電池ケースに設置された電池ケース接続端子２に接触しない。これにより電池５は、装置内の回路との電気的な接続がないため、安全な接触が行われる。
【００３８】
電池ケースは、移動可能に設置されたトレイ３と、固定された電池ケース接続端子２とを有する。
【００３９】
トレイ３を閉じることにより、ひいてはロックすることにより、電池５は、筐体１に設けられる電池ケース接続端子２及び装置内の回路に電気的に接続される。
【００４０】
図３に示すように、トレイ３に隣接する領域にはスライダ６が設けられ、このスライダ６の下部に設けられたロック機構７を被覆している。スライダ６は、バネにより図３に示す位置に保持される。
【００４１】
ロック機構７が解除され、それによりトレイ３が開く場合、ユーザ、つまり患者は図３におけるスライダ６を右にスライドさせ、その下のロック機構７を露出させる。ロック機構７の解除後は、トレイ３は手動又はバネの力で押し出される。
【００４２】
また、電池５と電池ケース接続端子２とは、トレイ３が完全に閉じられ、さらにロックされて初めて電気的に接続されてもよい。また、そのような接触は、ロックされたかどうか、つまりロック位置にあるかどうかに関係なく、トレイ３が完全に装置に挿入された時点ですでに行われていてもよい。
【符号の説明】
【００４３】
１      筐体
２      電池ケース接続端子
３      トレイ
３'     フロント部
４      収容部
４'    挿入方向前方の壁部
５      電池
６      スライダ
７      ロック機構
１０      側壁
１０'     開口部
１１      後壁
１２      前壁
【図１】
2020104007.tif 000003
【図２】
2020104007.tif 000004
【図３】
2020104007.tif 000005
【図４】
2020104007.tif 000006
【図５】
2020104007.tif 000007
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
少なくとも１つの筐体（１）を備える体外型心臓医療器具であって、
前記筐体（１）は、１つ又は複数の電池ケース接続端子（２）を有する少なくとも１つの電池ケースを有し、該電池ケースは、少なくとも１つの電池（５）を収容するための収容部（４）を有する少なくとも１つのトレイ（３）を有し、前記電池ケース接続端子（２）の少なくとも一部は、前記トレイ（３）の外に設けられ、
前記トレイ（３）は、ロック機構（７）によりロック及びロック解除可能に構成されており、
前記ロック機構（７）は、スライド移動可能なスライダ（６）によって、前記スライダ（６）が手動で開かれるまでロック解除できないように覆われている
ことを特徴とする体外型心臓医療器具。
【請求項２】
請求項１に記載の体外型心臓医療器具において、
少なくとも１つ又はすべての前記電池ケース接続端子（２）は、前記筐体（１）に固定され、前記電池ケース接続端子（２）は、前記トレイ（３）内又は前記トレイ（３）に設けられない
ことを特徴とする体外型心臓医療器具。
【請求項３】
請求項１又は２に記載の体外型心臓医療器具において、
少なくとも１つ又はすべての前記電池ケース接続端子（２）は、前記筐体（１）において、前記トレイ（３）が完全に挿入されたときに前記トレイ（３）に収容される電池（５）の挿入方向前端が到達する位置に設けられる
ことを特徴とする体外型心臓医療器具。
【請求項４】
請求項１〜３のいずれか１つに記載の体外型心臓医療器具において、
少なくとも１つ又はすべての前記電池ケース接続端子（２）は、前記トレイ（３）が開状態のときもユーザによる接触を回避できるように、前記筐体（１）の少なくとも１つの壁部に覆われている
ことを特徴とする体外型心臓医療器具。
【請求項５】
請求項４に記載の体外型心臓医療器具において、
前記筐体（１）の少なくとも１つの壁部は、該筐体（１）の後壁（１１）のみである、又は該後壁（１１）を含む
ことを特徴とする体外型心臓医療器具。
【請求項６】
請求項１〜５のいずれか１つに記載の体外型心臓医療器具において、
隣接する又は上下に並ぶ２つ以上の電池ケース接続端子（２）が設けられる
ことを特徴とする体外型心臓医療器具。
【請求項７】
請求項１〜６のいずれか１つに記載の体外型心臓医療器具において、
前記トレイ（３）の収容部（４）は、前記トレイ（３）の開状態において、前記筐体（１）の下部に向かって開口している
ことを特徴とする体外型心臓医療器具。
【請求項８】
請求項１〜７のいずれか１つに記載の体外型心臓医療器具において、
前記トレイ（３）の収容部（４）は、前記トレイ（３）が挿入された状態のとき、完全に前記筐体（１）の壁部に囲まれている
ことを特徴とする体外型心臓医療器具。
【請求項９】
請求項１〜８のいずれか１つに記載の体外型心臓医療器具において、
前記スライダ（６）は、バネにより起点に保持され、該起点において前記スライダ（６）は、前記ロック機構（７）を覆い、
前記スライダ（６）は、バネの付勢力に抗して移動させることで前記ロック機構（７）を露出可能に構成されている
ことを特徴とする体外型心臓医療器具。
【請求項１０】
請求項１〜９のいずれか１つに記載の体外型心臓医療器具において、
前記トレイ（３）の落下を防ぐ手段を備える
ことを特徴とする体外型心臓医療器具。